(57)【要約】【課題】録画データのメタデータを効率よく利用することができる録画装置および録画予約方法を提供する。【解決手段】本発明に係る録画装置１０は、ＣＰＵ１１、ＲＡＭ１２、ＲＯＭ１３、ネットワーク接続部１４、チューナ１５、入力装置１６、表示装置１７、クロック生成部１８および記憶部群２０を有する。ＣＰＵ１１は、ＲＯＭ１３内に記憶されたプログラムに従って、録画装置１０の処理動作を制御する。ＣＰＵ１１は、ＲＯＭ１３内に記憶された録画予約プログラムおよびプログラムの実行のために必要なデータを、ＲＡＭ１２へロードし、録画予約プログラムに従って、録画データのメタデータを利用して録画予約情報および録画データを編集する処理を実行する。【選択図】  図１
2009044442.tif 000002
【特許請求の範囲】
【請求項１】
録画データに関連付けられた前記録画データの属性を内容とするメタデータを利用する録画装置であって、
録画予約情報にもとづいて、前記録画を実行する録画処理手段と、
前記録画データの一覧画像を生成して表示させる録画リスト表示制御手段と、
前記録画リスト表示制御手段により表示された録画データのうちの少なくとも１つの録画データを選択するための選択手段と、
前記選択手段により選択された録画データのメタデータを取得する選択メタデータ取得手段と、
前記選択手段により選択された録画データのメタデータにもとづいて、新規に録画予約情報を生成する予約情報生成手段と、
を備えたことを特徴とする録画装置。
【請求項２】
前記選択手段により選択された録画データのメタデータにもとづいて、該録画データに対応する録画済みの番組と関連する番組の録画予約情報を抽出する同一予約情報抽出手段と、
前記同一予約情報抽出手段により抽出された録画予約情報の編集を受付ける予約情報編集受付手段と、
をさらに備えた請求項１記載の録画装置。
【請求項３】
前記選択手段により選択された録画データのメタデータにもとづいて、該録画データに対応する録画済みの番組と関連する番組の録画データを抽出する同一番組抽出手段と、
前記同一番組抽出手段により抽出された録画データの全てを対象とする処理を実行する一括処理手段と、
をさらに備えた請求項１記載の録画装置。
【請求項４】
前記選択手段により選択された録画データのメタデータにもとづいて、該録画データに対応する録画済みの番組と関連する番組の録画データを抽出する同一番組抽出手段と、
前記同一番組抽出手段により抽出された録画データの全てを対象とする処理を実行する一括処理手段と、
をさらに備えた請求項１記載の録画装置。
【請求項５】
前記一括処理手段は、
前記同一番組抽出手段により抽出された録画データの全てを一括して削除する機能を有する請求項３または４に記載の録画装置。
【請求項６】
前記一括処理手段は、
前記同一番組抽出手段により抽出された録画データの全てを一括して所要のフォルダへ移動させる機能を有する請求項３または４に記載の録画装置。
【請求項７】
前記録画リスト表示制御手段により表示された録画データのうちの少なくとも１つが前記選択手段により選択された場合、該録画データのメタデータを利用する処理の選択肢を含むメニューを表示させるメニュー表示制御手段、
を備えたことを特徴とする請求項１記載の録画装置。
【請求項８】
録画データに関連付けられた前記録画データの属性を内容とするメタデータを利用する録画予約方法であって、
録画予約情報にもとづいて、前記録画を実行するステップと、
前記録画データの一覧画像を生成して表示させるステップと、
前記一覧画像として表示された録画データのうちの少なくとも１つの録画データの選択を受けるステップと、
選択された該録画データのメタデータを取得するステップと、
選択された該録画データのメタデータにもとづいて、新規に録画予約情報を生成するステップと
を有することを特徴とする録画予約方法。
【請求項９】
前記選択された録画データのメタデータにもとづいて、該録画データに対応する録画済みの番組と関連する番組の録画予約情報を抽出するステップと、
該抽出された録画予約情報の編集を受付けるステップと、
をさらに有する請求項８記載の録画予約方法。
【請求項１０】
前記選択された録画データのメタデータにもとづいて、該録画データに対応する録画済みの番組と関連する番組の録画データを抽出するステップと、
該抽出された録画データの全てを対象とする処理を実行するステップと、
をさらに有する請求項８記載の録画予約方法。
【発明の詳細な説明】
【技術分野】
【０００１】
本発明は、設定された録画予約情報にもとづいて録画を行う録画装置および録画予約方法に関する。
【背景技術】
【０００２】
放送される番組の録画を行う録画装置には、設定された録画予約情報にもとづいて録画を行うことができるものが多い。録画予約情報は、現在時刻以降に録画する番組について、例えば、録画に必要な日時などの情報を内容とする。このため、録画済みの番組に関する録画予約情報は、一般に、録画が完了すると削除される。したがって、録画済みの番組と、同一の曜日、開始時刻、終了時刻およびチャンネルなどの番組を、新たに録画予約する際にも、改めて録画予約情報を作成しなおす必要がある。
【０００３】
従来、この種の録画予約情報の設定を支援する技術に、特開９−３１２０４４号公報（特許文献１）に開示されたものがある。
【０００４】
この特開９−３１２０４４号公報（特許文献１）に開示された磁気記録再生装置は、録画予約情報にもとづいて番組の録画を行う際に、録画データの属性を内容とするデータ（録画データのメタデータ）を記憶しておく記憶手段を備える。この記憶手段は、録画予約情報の一覧表示用の記憶手段であり、現在時刻以降に録画すべき番組に関する録画予約情報（録画する日付や曜日、開始時刻、終了時刻、チャンネルなど）に加え、録画データのメタデータ（録画された日付や曜日、開始時刻、終了時刻、チャンネルなど）も記憶しておくようになっている。
【０００５】
録画データのメタデータは、録画予約情報の生成に利用される。また、録画予約情報の一覧は、録画予約情報の一覧表示用の記憶手段に記憶された内容にもとづいて表示される。このため、録画予約情報の一覧には、現在時刻以降に録画すべき番組に関する録画予約情報に加え、録画データのメタデータを利用して生成される、録画済みの番組に関する録画予約情報も表示される。
【０００６】
したがって、この磁気記録再生装置によれば、録画済みの番組と同一の曜日、開始時刻、終了時刻およびチャンネルなどの番組を新たに録画予約する際に、ユーザは、録画予約情報の一覧表示からこの録画済みの番組に関する録画予約情報を選択するだけで、録画予約操作を完了することができるようになっている。
【特許文献１】特開平９−３１２０４４号公報
【発明の開示】
【発明が解決しようとする課題】
【０００７】
ところで、最近、録画予約設定にもとづいて録画を行う録画装置として、ＨＤＤ／ＤＶＤレコーダや、テレビチューナを備えたパーソナルコンピュータなどが利用されるようになってきた。これらの録画装置で利用される録画データを記憶する記憶装置は、大容量化が進んでおり、多数の録画データを記憶することが可能になってきた。この記憶装置の大容量化にともない、設定可能な録画予約情報の数も増加している。
【０００８】
一方、従来の録画予約情報の設定を支援する技術では、録画データのメタデータは、録画予約情報の一覧表示用の記憶装置に記憶される。このため、従来の技術では、任意の録画データのメタデータのみを利用して録画予約情報を生成するなど、録画データのメタデータを効率よく利用することが難しい。従来の技術では、現在時刻以降に録画すべき番組および録画済みの番組に関する録画予約情報が全て一覧に表示されてしまうため、一覧表示される録画予約情報の数は、録画された番組の増加にともない、増加してしまう。
【０００９】
したがって、従来の技術では、録画済みの番組と同一の曜日、開始時刻、終了時刻およびチャンネルなどの番組を新たに録画予約する際、ユーザは、一覧表示される膨大な数の録画予約情報から所望の録画予約情報を探さなければならず、非常に煩雑な作業を要求される。
【００１０】
本発明は、上述した事情を考慮してなされたもので、録画データのメタデータを効率よく利用することができる録画装置および録画予約方法を提供することを目的とする。
【課題を解決するための手段】
【００１１】
本発明に係る録画装置は、上述した課題を解決するために、録画データに関連付けられた前記録画データの属性を内容とするメタデータを利用する録画装置であって、録画予約情報にもとづいて、前記録画を実行する録画処理手段と、前記録画データの一覧画像を生成して表示させる録画リスト表示制御手段と、前記録画リスト表示制御手段により表示された録画データのうちの少なくとも１つの録画データを選択するための選択手段と、前記選択手段により選択された録画データのメタデータを取得する選択メタデータ取得手段と、前記選択手段により選択された録画データのメタデータにもとづいて、新規に録画予約情報を生成する予約情報生成手段と、を備えたことを特徴とするものである。
【００１２】
また、本発明に係る録画予約方法は、上述した課題を解決するために、録画データに関連付けられた前記録画データの属性を内容とするメタデータを利用する録画予約方法であって、録画予約情報にもとづいて、前記録画を実行するステップと、前記録画データの一覧画像を生成して表示させるステップと、前記一覧画像として表示された録画データのうちの少なくとも１つの録画データの選択を受けるステップと、選択された該録画データのメタデータを取得するステップと、選択された該録画データのメタデータにもとづいて、新規に録画予約情報を生成するステップと、を有することを特徴とする方法である。
【発明の効果】
【００１３】
本発明に係る録画装置および録画予約方法によれば、録画データのメタデータを効率よく利用することができる。
【発明を実施するための最良の形態】
【００１４】
本発明に係る録画装置および録画予約方法の実施の形態について、添付図面を参照して説明する。
【００１５】
図１は、本発明に係る録画装置の一実施形態を示す概略的な全体構成図である。
【００１６】
録画装置１０は、ＣＰＵ１１、ＲＡＭ１２、ＲＯＭ１３、ネットワーク接続部１４、チューナ１５、入力装置１６、表示装置１７、クロック生成部１８および記憶部群２０を有する。
【００１７】
ＣＰＵ１１は、ＲＯＭ１３内に記憶されたプログラムに従って、録画装置１０の処理動作を制御する。ＣＰＵ１１は、ＲＯＭ１３内に記憶された録画予約プログラムおよびプログラムの実行のために必要なデータを、ＲＡＭ１２へロードし、録画予約プログラムに従って、録画データのメタデータを利用して録画予約情報および録画データを編集する処理を実行する。
【００１８】
なお、本実施形態において、録画データとは、録画済み番組の映像データおよび音声データをいうものとする。また、録画データのメタデータとは、録画データに対応する録画済み番組について、少なくとも録画された日付または曜日、録画の開始時刻、終了時刻およびチャンネルの情報を含むほか、録画画質、タイトル名（番組名など）の情報を含むものとする。
【００１９】
ＣＰＵ１１は、録画予約プログラムによって、少なくとも録画処理部、録画リスト表示制御部、録画データ選択判定部、メニュー表示制御部、メニュー選択判定部、予約情報編集処理部、同一番組編集処理部、各種処理実行部および選択メタデータ取得部として機能する。
【００２０】
録画処理部は、録画予約情報にもとづいて録画を実行し、録画データとこの録画データのメタデータとを関連付けて、録画ファイル記憶部２３に記憶させる機能を有する。録画処理部は、時刻判定部、メタデータ収集部、録画実行部、録画ファイル書込み部、繰り返し指定判定部、予約情報削除部、緊急録画判定部および終了指示判定部を有する。
【００２１】
予約情報編集処理部は、録画データのメタデータを利用して録画予約情報（少なくとも録画すべき日付（曜日を含む）、録画の開始時刻、終了時刻およびチャンネルの情報を含むほか、録画画質の情報を含む）を編集する機能を有する。予約情報編集処理部は、同一予約情報判定部、同一予約情報抽出部、予約情報リスト表示制御部、予約情報編集受付部および予約情報生成部を有する。
【００２２】
同一番組編集処理部は、録画データのメタデータを利用して録画データを編集する機能を有する。同一番組編集処理部は、同一番組判定部、同一番組抽出部、同一番組リスト表示制御部、指示判定部および一括処理部を有する。
【００２３】
この各部は、ＲＡＭ１２の所要のワークエリアを、データの一時的な格納場所として利用する。なお、この機能実現部は、ＣＰＵ１１を用いることなく回路などのハードウエアロジックによって構成してもよい。
【００２４】
ＲＡＭ１２は、ＣＰＵ１１が実行するプログラムおよびデータを一時的に格納するワークエリアを提供する。
【００２５】
ＲＯＭ１３は、録画装置１０の起動プログラム、録画予約プログラムや、これらのプログラムを実行するために必要な各種データを記憶する。
【００２６】
なお、ＲＯＭ１３は、磁気的もしくは光学的記録媒体または半導体メモリなどの、ＣＰＵ１１により読み取り可能な記録媒体を含んだ構成を有し、ＲＯＭ１３内のプログラムおよびデータの一部または全部は電子ネットワークを介してダウンロードされるように構成してもよい。
【００２７】
ネットワーク接続部１４は、ネットワークの形態に応じた種々の情報通信用プロトコルを実装する。ネットワーク接続部１４は、この各種プロトコルに従って録画装置１０と他の電気機器とを接続する。この接続には、電子ネットワークを介した電気的な接続などを適用することができる。ここで電子ネットワークとは、電気通信技術を利用した情報通信網全般を意味し、ＬＡＮ（Local Area Network）やインターネット網のほか、電話通信回線網、光ファイバ通信ネットワーク、ケーブル通信ネットワークおよび衛星通信ネットワークなどを含む。
【００２８】
チューナ１５は、テレビジョン放送信号１を受信し、放送される番組の映像データ、音声データおよびＥＰＧ（Electronic Program Guide）データなどを受信する。ＥＰＧ（電子番組表）データは、番組開始日時および終了日時、番組名、チャンネル、番組内容、ジャンル名、出演者などの、番組に関する情報を内容とし、地上波デジタル放送やインターネットにより配信されている。録画装置１０のＣＰＵ１１は、このＥＰＧデータにもとづき、表示装置１７にＥＰＧ画像を表示する。
【００２９】
入力装置１６は、たとえば録画装置１０の筐体外面に設けられるハードキー、リモートコントローラ、キーボードなどの一般的な入力装置により構成され、ユーザの操作に対応した操作入力信号をＣＰＵ１１に出力する。
【００３０】
表示装置１７は、たとえば液晶ディスプレイやＣＲＴディスプレイなどの一般的な表示出力装置により構成され、ＣＰＵ１１の制御に従って、録画予約情報の一覧、録画データの一覧およびＥＰＧなどの、各種画像を表示する。
【００３１】
クロック生成部１８は、所定の周波数で電気信号を出力し、この信号をＣＰＵ１１に与える。ＣＰＵ１１は、クロック生成部１８の出力信号を監視し、現在時刻（所定の基準時刻からの経過時間）を取得することができる。
【００３２】
記憶部群２０は、ＥＰＧデータ記憶部２１、録画予約情報記憶部２２および録画ファイル記憶部２３を有する。
【００３３】
ＥＰＧデータ記憶部２１は、放送局がテレビジョン放送信号１にＥＰＧデータを多重して送信している場合、チューナ１５が受信したＥＰＧデータを格納する。また、ＥＰＧデータがインターネット配信されている場合は、ネットワーク接続部１４を介してＥＰＧサーバデータベース３０から取得したＥＰＧデータを格納する。
【００３４】
図２は、録画予約情報の一覧画像の一例を示す説明図である。図２の録画予約情報の一覧画像は、２００７年７月１４日（土）１９時３２分において設定されている録画予約情報のうち、７月１５日（日）から７月２０（土）までの一週間分の録画予約情報について、抜粋して例示したものである。
【００３５】
録画予約情報記憶部２２は、録画予約情報（少なくとも録画すべき日付（曜日を含む）、録画の開始時刻、終了時刻およびチャンネルの情報を含むほか、録画画質の情報を含む）を記憶する。
【００３６】
この録画予約情報記憶部２２に記憶されている録画予約情報にもとづいて、ＣＰＵ１１は、図２に示す録画予約情報の一覧画像を作成し、表示装置１７に表示させる。図２には、録画予約情報の一覧画像の項目として、録画予定日（曜日含む）、開始時刻、終了時刻、チャンネルおよび画質を表示させる場合の例について示した。
【００３７】
図２に示すように、連続ドラマＢおよび連続ドラマＥに対応する録画予約情報は、毎週所定の曜日に録画すべき内容となっている。この場合、ユーザの利便性を考慮し、録画予定日に「毎週」の文字が記載されるようにするとよい。所定の周期（毎週や毎日など）で繰り返し録画すべき番組に対応する録画予約情報は、録画が実行された後も、維持される。一方、バラエティＡ、ドラマＣおよび連続ドラマＤに対応する録画予約情報は、それぞれ、設定された録画予定日に録画が行われた後、削除される。
【００３８】
図３は、録画データの一覧画像の一例を示す説明図である。図３の録画データの一覧画像は、２００７年７月２１日（土）１０時１６分（図２の約１週間後）において録画ファイル記憶部２３に記憶されている録画データのうち、図２で例示した録画予約情報にもとづき録画された番組に関する録画データのみを、抜粋して例示したものである。
【００３９】
録画ファイル記憶部２３は、録画データと、この録画データのメタデータ（少なくとも録画された日付または曜日、録画の開始時刻、終了時刻およびチャンネルの情報を含むほか、録画画質、タイトル名の情報を含む）とを、関連付けて記憶する。なお、本実施形態では、録画データおよびこの録画データのメタデータを総称して、録画ファイルという。録画ファイル記憶部２３には、録画済みの番組の数だけ、録画ファイルが記憶される。
【００４０】
この録画ファイル記憶部２３に記憶されている録画データのメタデータにもとづいて、ＣＰＵ１１は、図３に示す録画データの一覧画像を作成し、表示装置１７に表示させる。図３には、録画データの一覧画像の項目として、録画日（曜日ふくむ）、チャンネル、タイトル名および画質を表示させる場合の例について示した。
【００４１】
録画データの一覧画像に表示されるタイトル名としては、ＥＰＧデータ記憶部２１に記憶されている番組名を用いることができる。また、ユーザにより入力装置１６を介して入力されたタイトル名を用いてもよい。
【００４２】
図４は、録画予約情報の一覧画像の他の例を示す説明図である。図４の録画予約情報の一覧画像は、２００７年７月２１日（土）１０時１６分（図３と同時刻）において設定されている録画予約情報のうち、図２に示した録画予約情報に関連するものについて、抜粋して例示したものである。
【００４３】
図２に示した録画予約情報が実行され、図３に示した録画データが取得された結果、図４に示すように、図２に示した録画予約情報のうち、所定の周期（毎週や毎日など）で繰り返し録画すべき番組に対応する録画予約情報のみが、維持されることになる。
【００４４】
なお、録画予約情報記憶部２２および録画ファイル記憶部２３は、外部の記憶装置を利用してもよい。この場合、録画装置１０のＣＰＵ１１は、ネットワーク接続部１４を介して外部の記憶装置を制御し、録画予約情報、録画データおよび録画データのメタデータの読み出しおよび書込み処理を行う。
【００４５】
ＥＰＧサーバデータベース３０は、ＥＰＧサーバがインターネット配信するＥＰＧデータを保存している。
【００４６】
次に、本実施形態に係る録画装置１０の動作の一例について説明する。
【００４７】
図５は、図１に示す画像装置のＣＰＵ１１により、録画データのメタデータを利用して録画予約情報および録画データを編集する処理を実行する際の手順を示すフローチャートである。図５において、Ｓに数字を付した符号は、フローチャートの各ステップを示す。
【００４８】
この手順は、録画リスト表示制御部によって録画データの一覧画像（図３参照）が表示装置１７に表示された時点でスタートとなる。
【００４９】
まず、ステップＳ１において、録画データ選択判定部は、録画データの一覧から録画データが選択されたかどうかを判定する。選択された場合は、ステップＳ２に進む。一方、選択されない場合は、引き続き録画データが選択されたかどうかを監視する。
【００５０】
図６は、録画データの一覧から選択された録画データについて、操作メニューを表示した様子を示す説明図である。
【００５１】
ステップＳ２において、メニュー表示制御部は、録画データの一覧から選択された録画データについて、この選択された録画データに関する各種処理の選択肢を操作メニューとして表示する。ユーザは、入力装置１６を介して操作メニューの選択肢を選択することにより、各種処理を実行すべき指示を録画装置１０に与えることができる。図６に示すように、操作メニューの選択肢には、録画データのメタデータを利用する処理の選択肢として、‘予約情報の編集’および‘同一番組の編集’が含まれる。
【００５２】
次に、ステップＳ３において、メニュー選択判定部は、ユーザにより入力装置１６を介して‘予約情報の編集’が選択されたかどうかを判定する。‘予約情報の編集’が選択された場合、ステップＳ４に進む。一方、選択されていない場合、ステップＳ５に進む。
【００５３】
次に、ステップＳ４において、予約情報編集処理部は、メニュー選択判定部から‘予約情報の編集’が選択された旨の情報を受け、録画予約情報の一覧画像を表示して、選択された録画データのメタデータを利用して録画予約情報を編集する処理を実行して、録画データのメタデータを利用して録画予約情報および録画データを編集する処理を実行する一連の手順は終了となる。
【００５４】
一方、ステップＳ５において、メニュー選択判定部は、ユーザにより入力装置１６を介して‘同一番組の編集’が選択されたかどうかを判定する。‘同一番組の編集’が選択された場合、ステップＳ６に進む。一方、選択されていない場合、ステップＳ７に進む。
【００５５】
次に、ステップＳ６において、同一番組編集処理部は、メニュー選択判定部から‘同一番組の編集’が選択された旨の情報を受け、録画ファイル記憶部２３を検索し、選択された録画データのメタデータと、同一のメタデータに関連付けられた録画データ（同一録画データ）を抽出する。そして、同一録画データの一覧画像（同一番組の一覧画像）を表示して、同一録画データの全削除などの編集処理を実行して、一連の手順は終了となる。
【００５６】
なお、本実施形態において、同一のメタデータとは、録画時間帯が少なくとも一部重複し、チャンネルが同一であり、かつ同一の曜日または同一のタイトル名を含むメタデータをいう。
【００５７】
次に、ステップＳ７において、メニュー選択判定部は、ユーザにより入力装置１６を介して‘予約情報の編集’および‘同一番組の編集’を除いた他の選択肢（‘再生’、‘削除’など）が選択されたかどうかを判定する。他の選択肢が選択された場合、ステップＳ８に進む。一方、他の選択肢が選択されていない場合、ステップＳ３に戻る。
【００５８】
次に、ステップＳ８において、各種処理実行部は、メニュー選択判定部から選択された選択肢の情報を受け、選択された選択肢に応じた処理を実行して、一連の手順は終了となる。たとえば、‘再生’が選択された場合は、録画済み番組を再生し、‘削除’が選択された場合は、録画ファイル記憶部２３から、録画ファイル（録画データおよびこの録画データのメタデータ）を削除して、一連の手順は終了となる。
【００５９】
以上の手順により、録画データのメタデータを利用して、録画予約情報および録画データを編集することができる。
【００６０】
続いて、録画データのメタデータを利用して、録画予約情報を編集する処理を実行する際の手順について説明する。
【００６１】
図７は、図５のステップＳ４でＣＰＵ１１により実行される、録画予約情報の編集処理の手順を示す、サブルーチンフローチャートである。図７において、Ｓに数字を付した符号は、フローチャートの各ステップを示す。
【００６２】
ステップＳ４１において、選択メタデータ取得部は、図５のステップＳ２で選択された録画データについて、この録画データのメタデータを録画ファイル記憶部２３から読み出し、同一予約情報判定部に与える。
【００６３】
次に、ステップＳ４２において、同一予約情報判定部は、選択メタデータ取得部から受けたメタデータと、同一の曜日を含み、録画時間帯が少なくとも一部重複し、かつチャンネルが同一である録画予約情報（以下、同一予約情報という）が、録画予約情報記憶部２２に記憶されているかどうか判定する。同一予約情報が記憶されている場合は、ステップＳ４３に進む。一方、同一予約情報が記憶されていない場合は、ステップＳ４６に進む。
【００６４】
次に、ステップＳ４３において、同一予約情報抽出部は、録画予約情報記憶部２２から、同一予約情報（選択された録画データのメタデータと同一の曜日を含み、録画時間帯が少なくとも一部重複し、かつチャンネルが同一である録画予約情報）を抽出する。
【００６５】
この結果、選択された録画データに対応する録画済みの番組と関連する番組の録画予約情報を抽出することができる。なお、本実施形態においては、所定の周期（毎週や毎日など）で放送される番組どうし（同一のシリーズ番組に属する番組どうし）に対して、番組が関連するというものとする。
【００６６】
次に、ステップＳ４４において、予約情報リスト表示制御部は、抽出された同一予約情報が選択された状態で録画予約情報の一覧画像を作成し、表示装置１７に表示させる。このとき、さらに、同一予約情報に関する操作メニューが表示されるようにしてもよい。
【００６７】
次に、ステップＳ４５において、予約情報編集受付部は、ユーザにより入力装置１６を介して、録画予約情報の変更や削除などの、録画予約情報の編集要求を受付け、要求された編集処理を実行する。
【００６８】
以上のステップＳ４１〜Ｓ４５の手順により、同一予約情報が存在する場合における、録画データのメタデータを利用した録画予約情報の編集処理を実行することができる。
【００６９】
ここで、録画データのメタデータを利用して録画予約情報を編集する処理において、同一予約情報が録画予約情報記憶部２２に記憶されている場合について、具体例を用いて簡単に説明する。
【００７０】
図８は、図３に示した録画データの一覧画像において選択された録画データについて、同一予約情報を編集する際の様子について示す説明図である。
【００７１】
同一予約情報が存在する録画データとは、所定の周期で繰り返し録画されるように録画予約情報が設定された番組の録画データである。
【００７２】
同一予約情報が存在する録画データについて、ユーザが録画予約情報を編集したいと所望する場合として、たとえば、録画された番組を再生して視聴した結果、ユーザが、この番組を面白くないと感じ、次回以降の録画について必要なしと判断し、この番組の録画予約情報を削除する必要があると考える場合が挙げられる。
【００７３】
また、録画された番組を再生して視聴した結果、ユーザが、頻繁に他番組（たとえばスポーツ中継など）の延長の影響を受けやすい番組であると認識し、この番組の録画時間帯をシフトするまたは録画終了時間を延長するなどの変更が必要であると考える場合や、録画画質を変更したいと考える場合も、同一予約情報が存在する録画データについてユーザが録画予約情報を編集したいと所望する場合として挙げられる。
【００７４】
たとえば、図３および図４に示したように、７月１６日（月）に録画された連続ドラマＢの録画データに対応する録画予約情報は、所定の周期（毎週や毎日など）で繰り返し録画すべき内容であり、録画予約情報記憶部２２に維持されたままになっている（７月２１日（土）時点）。つまり、７月１６日（月）に録画された連続ドラマＢの録画データについて、同一予約情報が録画予約情報記憶部２２に記憶されている。
【００７５】
このため、図８に示すように、録画データの一覧画像から７月１６日（月）の連続ドラマＢが選択され（図５のステップＳ１）、操作メニューが表示され（図５のステップＳ２）、この操作メニューから‘予約情報の編集’が選択されると（図５のステップＳ３のＹＥＳ）、録画予約情報記憶部２２に記憶された同一予約情報が抽出される（図７のステップＳ４３）ことにより、選択された録画データに対応する録画済みの番組（図８に示す例では連続ドラマＢ）と関連する番組の録画予約情報が抽出される。そして、同一予約情報が選択された状態で、録画予約情報の一覧画像が表示される（図７のステップＳ４４）。なお、図８には、同一予約情報に関する操作メニューがあわせて表示される場合の例について示した。
【００７６】
したがって、ユーザは、たとえば連続ドラマなど、所定の周期（毎週や毎日など）で放送される番組（シリーズ番組）について、周期的に繰り返し録画すべき設定により録画された番組を再生して視聴した結果、録画予約情報の設定に対する不満を感じた場合に、ＥＰＧ画像を表示させたり、録画予約情報の一覧画像を自ら呼び出したりする手間を掛けることなく、録画済みの番組の視聴後速やかに容易に録画予約情報の設定を編集（変更や削除など）することができる。
【００７７】
さて、図７のステップＳ４２で録画予約情報記憶部２２に同一予約情報が記憶されていないと判定された場合、ステップＳ４６において、予約情報生成部は、選択された録画データのメタデータにもとづいて、新規に録画予約情報を生成し、録画予約情報記憶部２２に記憶させる。
【００７８】
次に、ステップＳ４７において、予約情報リスト表示制御部は、ステップＳ４６で生成された録画予約情報が選択された状態で録画予約情報の一覧画像を作成し、表示装置１７に表示させる。このとき、さらに、同一予約情報に関する操作メニューが表示されるようにしてもよい。
【００７９】
次に、ステップＳ４８において、予約情報編集受付部は、ユーザにより入力装置１６を介して、録画予約情報の変更や削除などの、録画予約情報の編集要求を受付け、要求された編集処理を実行する。
【００８０】
以上のステップＳ４１、Ｓ４２およびステップＳ４６〜Ｓ４８の手順により、同一予約情報が存在しない場合における、録画データのメタデータを利用した録画予約情報の編集処理を実行することができる。
【００８１】
ここで、録画データのメタデータを利用して録画予約情報を編集する処理において、同一予約情報が録画予約情報記憶部２２に記憶されていない場合について、具体例を用いて簡単に説明する。
【００８２】
図９は、図３に示した録画データの一覧画像において選択された録画データについて、メタデータにもとづき新規に生成された録画予約情報を編集する際の様子について示す説明図である。
【００８３】
同一予約情報が存在しない録画データとは、一度の放送分だけ録画されるように録画予約情報が設定された番組の録画データである。
【００８４】
同一予約情報が存在しない録画データについて、ユーザが録画予約情報を編集したいと所望する場合として、たとえば、録画された番組が、連続ドラマなどの所定の周期ごとに放送される番組（シリーズ番組）であって、この録画された番組を再生して視聴した結果、ユーザが、この番組を面白いと感じ、次回以降も録画したいと所望し、この番組の録画予約情報を周期的に繰り返し録画すべき設定に変更する必要があると考える場合が挙げられる。
【００８５】
たとえば、図３および図４に示したように、７月２０日（金）に録画された連続ドラマＤの録画データに対応する録画予約情報は、一度の放送分だけ録画されるように設定されていたため、録画予約情報記憶部２２から削除されている（７月２１日（土）時点）。つまり、７月２０日（金）に録画された連続ドラマＤの録画データについて、同一予約情報が録画予約情報記憶部２２に記憶されていない。
【００８６】
このため、図９に示すように、録画データの一覧画像から７月２０日（金）の連続ドラマＤが選択され（図５のステップＳ１）、操作メニューが表示され（図５のステップＳ２）、この操作メニューから‘予約情報の編集’が選択されると（図５のステップＳ３のＹＥＳ）、この番組の録画データのメタデータにもとづいて新規に録画予約情報が生成され（図７のステップＳ４６）る。そして、この生成された録画予約情報が選択された状態で、録画予約情報の一覧画像が表示される（図７のステップＳ４７）。図９には、生成された録画予約情報に関する操作メニューがあわせて表示される場合の例について示した。
【００８７】
したがって、ユーザは、たとえば連続ドラマなど、所定の周期（毎週や毎日など）で放送される番組（シリーズ番組）について、一度の放送分だけ録画すべき設定により録画された番組を再生して視聴した結果、録画予約情報の設定を周期的に繰り返し録画すべき設定に変更したいと考える場合に、ＥＰＧ画像を表示させたり、録画予約情報の一覧画像を自ら呼び出したりする手間を掛けることなく、録画済みの番組の視聴後速やかに容易に録画予約情報を新規に追加設定することができる。
【００８８】
なお、図９には、新規に録画予約情報を生成する際に、録画予定日を、選択された録画データのメタデータの曜日で毎週録画を行う設定とする場合の例について示した。この録画予定日は、図５のステップＳ３で‘予約情報の編集’が選択された時点における直近のメタデータと同一の曜日について、一度の放送分だけ録画されるように設定してもかまわない。ユーザは、録画予約情報の一覧画像が表示された後、録画予約情報の全ての項目について、所望の変更を指示することが可能である（図７のステップＳ４８）。
【００８９】
また、録画装置１０は、録画予約情報の設定をせずとも、いわゆるワンタッチ録画により録画を実行することができるようになっている。ワンタッチ録画は、録画予約情報を設定していない番組について、ユーザが番組を視聴中に、直ちにこの番組を録画したいと所望した場合などに行われる。
【００９０】
ワンタッチ録画を行う方法として、入力装置１６の録画ボタンを押すだけで録画を直ちに開始する方法や、ＥＰＧ画像から現在放送中の番組のうち所望の番組を選択することにより録画を開始する方法などがある。ＥＰＧ画像経由で録画する場合は、タイトル名の情報を、ＥＰＧデータ記憶部２１から取得することができる。その他の場合は、タイトル名の情報が取得できない場合があるが、ユーザは、録画後、録画データの一覧画像にて、録画データのタイトル名を設定することが可能である（図６の操作メニュー参照）。
【００９１】
図１０は、ワンタッチ録画が行われた場合の録画データの一覧画像の一例を示す説明図である。
【００９２】
図１０において、７月１７日（火）に録画されているバラエティＦは、図２に示す録画予約情報の一覧に存在しない番組である。これは、ユーザが、バラエティＦをいわゆるワンタッチ録画により録画するべく、録画装置１０に入力装置１６を介して指示したことを意味する。
【００９３】
図１１は、図１０に示したワンタッチ録画された番組であるバラエティＦの録画データのメタデータと、この番組の放送時間等とを示す説明図である。
【００９４】
ワンタッチ録画は、ユーザにより入力装置１６を介して手動で録画開始および録画終了の指示が行われる録画方法である。このため、図１１に示すように、ワンタッチ録画が実行された場合には、録画開始時刻および録画終了時刻は、実際の番組の放送開始時刻および放送終了時刻と、異なってしまうことが多い。
【００９５】
この、ワンタッチ録画により録画された番組が、連続ドラマなどの所定の周期ごとに放送される番組（シリーズ番組）であって、この録画された番組を再生して視聴した結果、ユーザが、この番組を面白いと感じ、次回以降も録画したいと所望し、この番組の録画予約情報を周期的に繰り返し録画すべき設定に変更する必要があると考える場合にも、同一予約情報が存在しない場合における、録画データのメタデータを利用した録画予約情報の編集処理を実行すると便利である。
【００９６】
図１２は、図３に示した録画データの一覧画像において選択された録画データがワンタッチ録画により録画された番組に関する録画データである場合について、メタデータにもとづき新規に生成された録画予約情報を編集する際の様子について示す説明図である。
【００９７】
図１２に示すように、ワンタッチ録画によって録画された録画データのメタデータにもとづき、新規に生成されて一覧画像に追加された録画予約情報について、ユーザは、録画開始時刻および録画終了時刻を変更するだけで、容易に周期的に繰り返し録画すべき設定の録画予約情報を作成することができる。
【００９８】
続いて、録画データのメタデータを利用して、録画データを編集する処理を実行する際の手順について説明する。
【００９９】
図１３は、図５のステップＳ６でＣＰＵ１１により実行される、録画データの編集処理の手順を示す、サブルーチンフローチャートである。図１３において、Ｓに数字を付した符号は、フローチャートの各ステップを示す。
【０１００】
ステップＳ６１において、選択メタデータ取得部は、図５のステップＳ２で選択された録画データについて、この録画データのメタデータを録画ファイル記憶部２３から読み出し、同一番組判定部に与える。
【０１０１】
次に、ステップＳ６２において、同一番組判定部は、選択メタデータ取得部から受けたメタデータと、同一のメタデータ（録画時間帯が少なくとも一部重複し、チャンネルが同一であり、かつ同一の曜日または同一のタイトル名を含むメタデータ）に関連付けられた録画データ（同一録画データ）が、録画ファイル記憶部２３に記憶されているかどうか判定する。同一録画データが記憶されている場合は、ステップＳ６３に進む。一方、同一録画データが記憶されていない場合は、録画データを編集する処理を実行する一連の手順は終了となる。
【０１０２】
次に、ステップＳ６３において、同一番組抽出部は、録画ファイル記憶部２３から、同一録画データを抽出する。
【０１０３】
この結果、選択された録画データに対応する録画済みの番組と関連する番組の録画データを抽出することができる。
【０１０４】
図１４は、図３に示した録画データの一覧画像において選択された録画データについて、同一録画データを編集する際の様子について示す説明図である。
【０１０５】
ステップＳ６４において、同一番組リスト表示制御部は、抽出された同一録画データの一覧画像を生成し、表示装置１７に表示させる（図１４参照）。このとき、ユーザが同一録画データ全体に対して行う処理（一括して削除する処理や一括してフォルダ移動させる処理など）を容易に指示できるように、同一録画データの一覧画像を生成するとよい。図１４には、ユーザが各種処理を指示するためのソフトキーを表示させる場合の例について示した。図１４に示すように、ソフトキーには、同一録画データ全体に対して行う処理に対応するキーとして、‘一括削除’および‘一括フォルダ移動’のキーが含まれる。
【０１０６】
次に、ステップＳ６５において、指示判定部は、ユーザにより入力装置１６を介して同一録画データを一括削除すべき指示があったか（‘一括削除’キーが選択されたか）どうか判定する。一括削除すべき指示があった場合は、ステップＳ６６に進む。一方、この指示がない場合は、ステップＳ６７に進む。
【０１０７】
次に、ステップＳ６６において、一括処理部は、抽出された同一録画データを、全て、録画ファイル記憶部２３から削除して、一連の手順は終了となる。
【０１０８】
一方、ステップＳ６７において、指示判定部は、ユーザにより入力装置１６を介して同一録画データを一括してフォルダ移動すべき指示があったか（‘一括フォルダ移動’キーが選択されたか）どうか判定する。一括フォルダ移動すべき指示があった場合は、ステップＳ６８に進む。一方、この指示がない場合は、ステップＳ６９に進む。
【０１０９】
図１５は、一括処理部により生成されるフォルダ操作画像の一例を示す説明図である。
【０１１０】
ステップＳ６８において、一括処理部は、フォルダ操作画像を生成して表示装置１７に表示させ、この画像によって、ユーザに対し、同一録画データを移動させるべきフォルダを指定するよう促す。そして、一括処理部は、同一録画データを、ユーザによって指定されたフォルダに、一括して移動させて、一連の手順は終了となる。
【０１１１】
他方、ステップＳ６９において、指示判定部は、ユーザにより入力装置１６を介して‘一括削除’および‘一括フォルダ移動’のキーを除いた他のキー（図１４に示す例では、‘戻る’のキー）が選択されたかどうか判定する。他のキーが選択された場合、ステップＳ７０に進む。一方、他のキーが選択されていない場合、ステップＳ６５に戻る。
【０１１２】
次に、ステップＳ７０において、一括処理部は、選択されたキーに応じた処理を実行して、一連の手順は終了となる。
【０１１３】
以上の手順により、録画データのメタデータを利用して、同一録画データを一括して操作することにより、録画データの編集を行うことができる。
【０１１４】
なお、同一録画データを一括して操作する処理は、図１３に示した一括削除処理や一括フォルダ移動処理に限られず、たとえば、同一録画データを一括してＤＶＤなどの他の記憶媒体にダビングする処理などが考えられる。
【０１１５】
続いて、録画予約情報にもとづいて録画を実行し、録画データとこの録画データのメタデータとを関連付けて、録画ファイル記憶部２３に記憶させる際の手順について説明する。図５、図７、および図１３に示した手順は、すべて、録画ファイル記憶部２３が、録画データとこの録画データのメタデータとを関連付けて記憶していることが前提となって行われる。
【０１１６】
図１６は、図１に示す画像装置のＣＰＵ１１により、録画予約情報にもとづいて録画を実行し、録画データとこの録画データのメタデータとを関連付けて、録画ファイル記憶部２３に記憶させる際の手順を示すフローチャートである。図１６において、Ｓに数字を付した符号は、フローチャートの各ステップを示す。
【０１１７】
なお、あらかじめ、録画予約情報記憶部２２には、録画予約情報が記憶されているものとする。
【０１１８】
ステップＳ８１において、時刻判定部は、クロック生成部１８の出力を監視し、録画予約情報記憶部２２に記憶されている録画予約情報の開始時刻に、現在時刻と一致するものがあるかどうか判定する。現在時刻と一致する開始時刻が設定されている録画予約情報（以下、対象録画予約情報という）がある場合は、この対象録画予約情報をメタデータ収集部に与え、ステップＳ８２に進む。一方、現在時刻と一致するものがない場合は、ステップＳ９０に進む。
【０１１９】
なお、時刻判定部は、録画予約情報の開始時刻に、現在時刻の少し後（たとえば１０秒後など）と一致するものがあるかどうかを判定するよう構成してもよい。
【０１２０】
次に、ステップＳ８２において、メタデータ収集部は、現在の日付（曜日）および現在の時刻（録画開始時刻）の情報を取得する。また、メタデータ収集部は、録画予約情報記憶部２２から、時刻判定部から受けた対象録画予約情報のチャンネル、画質の情報を取得する。さらに、メタデータ収集部は、ＥＰＧデータ記憶部２１を参照して、これから録画する番組のタイトル名を取得する。そして、メタデータ収集部は、取得した日付（曜日）、開始時刻、チャンネル、タイトル名および画質の情報を、ＲＡＭ１２の所要のワークエリアに格納する。
【０１２１】
次に、ステップＳ８３において、録画実行部は、対象録画予約情報に設定されているチャンネルの番組を、対象録画予約情報に設定されている画質にて、録画を開始し、録画データ（映像データおよび音声データ）を、順次録画ファイル記憶部２３に記憶させる。
【０１２２】
次に、ステップＳ８４において、時刻判定部は、現在時刻が、対象録画予約情報に設定されている終了時刻に達したかどうか判定する。終了時刻に達した場合、ステップＳ８５に進む。一方、終了時刻に達していない場合は、引き続き現在時刻が対象録画予約情報に設定されている終了時刻に達したかどうか監視する。
【０１２３】
次に、ステップＳ８５において、録画実行部は、録画を終了する。
【０１２４】
次に、ステップＳ８６において、メタデータ収集部は、現在の時刻（録画の終了時刻）を取得し、この終了時刻の情報を、ＲＡＭ１２の所要のワークエリアに格納する。
【０１２５】
この結果、ＲＡＭ１２の所要のワークエリアには、録画データのメタデータである、日付（曜日）、開始時刻、終了時刻、チャンネル、タイトル名および画質の情報が格納される。
【０１２６】
なお、ユーザは、録画データのタイトル名を、録画データの一覧画像にて変更することができる（図６の操作メニュー参照）。
【０１２７】
次に、ステップＳ８７において、録画ファイル書込み部は、ＲＡＭ１２の所要のワークエリアからメタデータを読み出し、録画データに関連付けて、録画ファイル記憶部２３に記憶させる。
【０１２８】
次に、ステップＳ８８において、繰り返し指定判定部は、対象録画予約情報が所定の周期（毎週や毎日など）で繰り返し録画すべき設定をされたものであるかどうかを判定する。対象録画予約情報が繰り返し録画すべき設定をされたものでない場合、ステップＳ８９に進む。一方、繰り返し録画すべき設定をされたものである場合は、一連の録画予約情報にもとづいて録画を実行して録画データとこの録画データのメタデータとを関連付けて録画ファイル記憶部２３に記憶させる手順は終了となる。
【０１２９】
次に、ステップＳ８９において、予約情報削除部は、対象録画予約情報を、録画予約情報記憶部２２から削除して、一連の手順は終了となる。
【０１３０】
他方、ステップＳ８１で対象録画予約情報がないと判定された場合、ステップＳ９０において、緊急録画判定部は、ユーザにより入力装置１６を介してワンタッチ録画を実行すべき旨の指示があったかどうか判定する。ワンタッチ録画を実行すべき旨の指示があった場合は、ステップＳ９１に進む。一方、指示がなかった場合は、ステップＳ８１に戻る。
【０１３１】
次に、ステップＳ９１において、メタデータ収集部は、現在の日付（曜日）、現在の時刻（録画開始時刻）、現在のチャンネルおよび画質の情報を取得する。なお、画質の情報は、ワンタッチ録画を実行すべき旨の指示があった時点であらかじめ録画装置１０に設定されているワンタッチ録画時の画質の情報を利用することができる。そして、メタデータ収集部は、取得した日付（曜日）、開始時刻、チャンネルおよび画質の情報を、ＲＡＭ１２の所要のワークエリアに格納し、ステップＳ９２に進む。
【０１３２】
なお、ＥＰＧ画像経由でワンタッチ録画する場合は、タイトル名の情報をＥＰＧデータ記憶部２１から取得し、このタイトル名の情報もＲＡＭ１２の所要のワークエリアに格納する。その他の方法でワンタッチ録画する場合は、タイトル名の情報が取得できない場合があるが、ユーザは、録画後、録画データの一覧画像にて、録画データのタイトル名を設定することが可能である（図６の操作メニュー参照）。
【０１３３】
次に、ステップＳ９２において、録画実行部は、現在のチャンネルの番組またはＥＰＧ画像経由で指定されたチャンネルの番組を、現在の画質（またはあらかじめ録画装置１０に設定されているワンタッチ録画時の画質）にて、録画を開始し、録画データ（映像データおよび音声データ）を、順次録画ファイル記憶部２３に記憶させる。
【０１３４】
ワンタッチ録画が、入力装置１６の録画ボタンを押すだけで録画を直ちに開始する方法で開始された場合は、終了判定部は、ステップＳ９３において、ユーザから入力装置１６を介してワンタッチ録画を終了すべき指示があったかどうか判定する。終了すべき指示があった場合は、ステップＳ８５に進む。一方、終了すべき指示がなかった場合は、引き続き終了すべき指示があったかどうか監視する。
【０１３５】
また、ワンタッチ録画が、ＥＰＧ画像から現在放送中の番組のうち所望の番組を選択することにより録画を開始する方法で開始された場合は、終了判定部は、ステップＳ９３において、現在時刻が、ＥＰＧデータ記憶部２１に記憶された終了時刻に達したかどうか判定する。終了時刻に達した場合、ステップＳ８５に進む。一方、現在時刻に達していない場合は、引き続き現在時刻が対象録画予約情報に設定されている終了時刻に達したかどうか監視する。
【０１３６】
以上の手順により、録画予約情報にもとづいて録画を実行し、録画データとこの録画データのメタデータとを関連付けて、録画ファイル記憶部２３に記憶させることができる。
【０１３７】
本実施形態に係る録画装置１０は、録画データの一覧画像経由で、任意の録画データについて、メタデータを利用することができる。したがって、この録画装置１０は、録画データのメタデータを非常に効率よく利用することができる。
【０１３８】
また、この録画装置１０によれば、ユーザは、録画データの一覧画像経由で、任意の録画データについて、録画予約情報の設定を編集（変更や削除など）することができる。このため、この録画装置１０によれば、ユーザは、録画した番組を視聴してから、この番組に関する録画予約情報をきわめて容易に変更することができるため、非常に利便性が向上する。
【０１３９】
さらに、本実施形態に係る録画装置１０によれば、ユーザは、録画データの一覧画像経由で、同一番組の一覧画像を表示させることができ、同一番組について、一括削除、一括フォルダ移動、一括ダビングなど、様々な一括処理を容易に行うことができるため、非常に利便性が向上する。
【０１４０】
なお、本発明は上記実施形態そのままに限定されるものではなく、実施段階ではその要旨を逸脱しない範囲で構成要素を変形して具体化できる。
【０１４１】
たとえば、テレビジョン放送信号１にＥＩＴ（Event Information Table）が含まれ、ＥＩＴにシリーズ記述子（Series Descriptor）が含まれ、かつシリーズ記述子に所定の周期（毎週や毎日など）で放送される番組（シリーズ番組）をユニークに識別するためのＩＤ(series_id)（シリーズＩＤ）の情報が含まれる場合には、録画予約情報にシリーズＩＤの情報を含めることができる。また、図１６のステップＳ８２において、メタデータ収集部は、このシリーズＩＤを取得することができるため、録画データのメタデータにもシリーズＩＤを含めることができる。
【０１４２】
この場合、図７の手順で、選択された録画データに対応する録画済みの番組と関連する番組の録画予約情報を抽出することがより容易になる。具体的には、まず、ステップＳ４２において、同一予約情報判定部は、選択メタデータ取得部から受けたメタデータと同一のシリーズＩＤを有する録画予約情報の有無を判定する。そして、ステップＳ４３において、同一予約情報抽出部は、録画予約情報記憶部２２から、このシリーズＩＤを有する録画予約情報を抽出すればよい。
【０１４３】
また、図１３の手順で、選択された録画データに対応する録画済みの番組と関連する番組の録画データを抽出することもより容易になる。具体的には、まず、ステップＳ６２において、同一番組判定部は、選択メタデータ取得部から受けたメタデータと同一のシリーズＩＤを有するメタデータの有無を判定する。そして、ステップＳ６３において、同一番組抽出部は、録画ファイル記憶部２３から、このシリーズＩＤを有する録画データを抽出すればよい。
【０１４４】
また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【０１４５】
【図１】本発明に係る録画装置の一実施形態を示す概略的な全体構成図。
【図２】録画予約情報の一覧画像の一例を示す説明図。
【図３】録画データの一覧画像の一例を示す説明図。
【図４】録画予約情報の一覧画像の他の例を示す説明。
【図５】図１に示す画像装置のＣＰＵにより、録画データのメタデータを利用して録画予約情報および録画データを編集する処理を実行する際の手順を示すフローチャート。
【図６】録画データの一覧から選択された録画データについて、操作メニューを表示した様子を示す説明図。
【図７】図５のステップＳ４でＣＰＵにより実行される、録画予約情報の編集処理の手順を示す、サブルーチンフローチャート。
【図８】図３に示した録画データの一覧画像において選択された録画データについて、同一予約情報を編集する際の様子について示す説明図。
【図９】図３に示した録画データの一覧画像において選択された録画データについて、メタデータにもとづき新規に生成された録画予約情報を編集する際の様子について示す説明図。
【図１０】ワンタッチ録画が行われた場合の録画データの一覧画像の一例を示す説明図。
【図１１】図１０に示したワンタッチ録画された番組であるバラエティＦの録画データのメタデータと、この番組の放送時間等とを示す説明図。
【図１２】図３に示した録画データの一覧画像において選択された録画データがワンタッチ録画により録画された番組に関する録画データである場合について、メタデータにもとづき新規に生成された録画予約情報を編集する際の様子について示す説明図。
【図１３】図５のステップＳ６でＣＰＵにより実行される、録画データの編集処理の手順を示す、サブルーチンフローチャート。
【図１４】、図３に示した録画データの一覧画像において選択された録画データについて、同一録画データを編集する際の様子について示す説明図。
【図１５】一括処理部により生成されるフォルダ操作画像の一例を示す説明図。
【図１６】図１に示す画像装置のＣＰＵにより、録画予約情報にもとづいて録画を実行し、録画データとこの録画データのメタデータとを関連付けて、録画ファイル記憶部に記憶させる際の手順を示すフローチャート。
【符号の説明】
【０１４６】
１０  録画装置
１１  ＣＰＵ
１２  ＲＡＭ
１３  ＲＯＭ
１４  ネットワーク接続部
１５  チューナ
１６  入力装置
１７  表示装置
１８  クロック生成部
２０  記憶部群
２１  ＥＰＧデータ記憶部
２２  録画予約情報記憶部
２３  録画ファイル記憶部
【図１】
2009044442.tif 000003
【図２】
2009044442.tif 000004
【図３】
2009044442.tif 000005
【図４】
2009044442.tif 000006
【図５】
2009044442.tif 000007
【図６】
2009044442.tif 000008
【図７】
2009044442.tif 000009
【図８】
2009044442.tif 000010
【図９】
2009044442.tif 000011
【図１０】
2009044442.tif 000012
【図１１】
2009044442.tif 000013
【図１２】
2009044442.tif 000014
【図１３】
2009044442.tif 000015
【図１４】
2009044442.tif 000016
【図１５】
2009044442.tif 000017
【図１６】
2009044442.tif 000018